(57)【要約】【課題】表示装置を斜め方向から見た場合に、隣り合う二つの表示領域の一方側から他方側がカバー隙間を通して見え難くできる表示装置の提供。【解決手段】表示装置であるコンビネーションメータ１００は、スピートメータ１１を形成する指針表示部２１、スピートメータ１１の隣にマルチ表示領域１３を形成する液晶表示部２３、及びカバーガラス３０を備えている。さらにコンビネーションメータ１００には、見返し区分壁５０及び遮光性のウレタン遮光材６０が設けられている。見返し区分壁５０は、指針表示部２１及び液晶表示部２３の間からカバーガラス３０へ向けて立設された形状により、スピートメータ１１及びマルチ表示領域１３を区分けしている。ウレタン遮光材６０は、見返し区分壁５０及びカバーガラス３０よりも低剛性であり、見返し区分壁５０の頂面部５１とカバーガラス３０との間に位置している。【選択図】図２
2019215188.tif 000002
【特許請求の範囲】
【請求項１】
複数の表示領域（１０）に情報を表示する表示装置であって、
複数の前記表示領域の一つである第一表示領域（１１，１２）を形成する第一表示部（２１，２２）と、
複数の前記表示領域の一つである第二表示領域（１３）を、前記第一表示領域の隣に形成する第二表示部（２３）と、
前記第一表示部及び前記第二表示部の正面方向（ＦＤ）に位置し、前記第一表示領域及び前記第二表示領域を覆う透光性のカバー部材（３０）と、
前記第一表示部及び前記第二表示部の間から前記カバー部材へ向けて立設された形状により、前記第一表示領域及び前記第二表示領域を区分けする区分壁（５０）と、
前記区分壁及び前記カバー部材よりも低剛性の材料よりなり、前記区分壁において前記カバー部材と対向する頂面部（５１）と、前記カバー部材との間に位置する遮光性の遮光部材（６０）と、を備える表示装置。
【請求項２】
前記遮光部材は、前記区分壁に保持されている請求項１に記載の表示装置。
【請求項３】
前記遮光部材は、前記頂面部に沿って帯状に延伸する板状本体部（６１）、及び前記板状本体部から突出する挿入凸部（６３）を有し、
前記頂面部には、前記挿入凸部に外嵌されて前記遮光部材を保持する保持穴部（５３）が設けられている請求項２に記載の表示装置。
【請求項４】
前記遮光部材は、前記保持穴部を通じて前記区分壁の内部に位置した前記挿入凸部から、前記区分壁の内側壁面（５７）へ向けて突出する係止突起（６５）、をさらに有する請求項３に記載の表示装置。
【請求項５】
前記遮光部材は、複数の前記挿入凸部を有し、
複数の前記挿入凸部は、前記板状本体部の延伸方向（ＥＤ）に互いに間隔を開けて並んでおり、
前記頂面部には、前記延伸方向に互いに間隔を開けて並ぶ配置により、複数の前記挿入凸部を個別に保持する複数の前記保持穴部が設けられている請求項３又は４に記載の表示装置。
【請求項６】
前記挿入凸部において前記板状本体部と連続する連続部分（６４）は、前記保持穴部の穴開口（５３ａ）の内法よりも大きくなるように、前記板状本体部に向かって拡大する拡大形状である請求項３〜５のいずれか一項に記載の表示装置。
【請求項７】
前記区分壁の幅方向（ＷＤ）において、前記頂面部の両縁（５２）は、前記遮光部材の両縁（６２）よりも内側に位置している請求項１〜６のいずれか一項に記載の表示装置。
【請求項８】
前記カバー部材の前記正面方向にクラスタ部材（１１０）が配置される表示装置であって、
前記クラスタ部材には、前記区分壁の前記正面方向に位置し、前記区分壁と共に前記第一表示領域及び前記第二表示領域を区分けするクラスタ壁（１１２）、が設けられており、
前記区分壁の幅方向（ＷＤ）において、前記遮光部材の両縁（６２）は、前記クラスタ壁にて前記カバー部材と対向する対向底部（１１３）の両縁（１１４）よりも内側に位置している請求項１〜７のいずれか一項に記載の表示装置。
【発明の詳細な説明】
【技術分野】
【０００１】
この明細書による開示は、情報を表示する表示装置に関する。
【背景技術】
【０００２】
従来、例えば特許文献１には、複数の表示部が隣り合うように配置された車両用の表示装置が開示されている。この表示装置では、隣り合う二つの表示部の間に、周壁部が設けられている。また、カバープレートの正面方向には、各表示部を囲む形状のクラスタが配置されている。
【０００３】
以上の構成では、二つの表示部を覆う透光性のカバープレートにおいて、周壁部の頂部と対向する位置に、遮光部が二色成型によって形成されている。遮光部は、表示装置を斜め方向から見た場合に、クラスタとカバープレートとの隙間を通じて、隣接する表示部が視認されることを防止している。
【先行技術文献】
【特許文献】
【０００４】
【特許文献１】特開２０１６‐１３３３８２号公報
【発明の概要】
【発明が解決しようとする課題】
【０００５】
特許文献１の表示装置では、周壁部の頂部とカバープレートの遮光部との間に、隙間が設けられている。こうした隙間は、周壁部とカバープレートとの接触を防ぎ、異音及び損傷の発生を防止できる。しかし、設計上にて、こうした機能を有する隙間を小さくすることが困難であるため、光は隙間を容易に通過し得た。以上によれば、特許文献１のような表示装置を斜め方向から見た場合、クラスタ及びカバープレート間の隙間を通じた隣の表示部の視認は防止され得る一方で、カバープレート及び周壁部間の隙間を通した隣の表示の視認は、防止困難であった。
【０００６】
本開示は、表示装置を斜め方向から見た場合に、二つの表示領域の一方側から他方側を見え難くすることが可能な表示装置の提供を目的とする。
【課題を解決するための手段】
【０００７】
上記目的を達成するため、開示された一つの態様は、複数の表示領域（１０）に情報を表示する表示装置であって、複数の表示領域の一つである第一表示領域（１１，１２）を形成する第一表示部（２１，２２）と、複数の表示領域の一つである第二表示領域（１３）を、第一表示領域の隣に形成する第二表示部（２３）と、第一表示部及び第二表示部の正面方向（ＦＤ）に位置し、第一表示領域及び第二表示領域を覆う透光性のカバー部材（３０）と、第一表示部及び第二表示部の間からカバー部材へ向けて立設された形状により、第一表示領域及び第二表示領域を区分けする区分壁（５０）と、区分壁及びカバー部材よりも低剛性の材料よりなり、区分壁においてカバー部材と対向する頂面部（５１）と、カバー部材との間に位置する遮光性の遮光部材（６０）と、を備える表示装置とされる。
【０００８】
この態様では、区分壁の頂面部とカバー部材との間に位置する遮光部材が、区分壁及びカバー部材よりも低剛性の材料よりなるため、カバー部材の遮光部材への接触が許容され得る。故に、頂面部及びカバー部材の間にできる隙間が小さくなるように、区分壁の頂面部をカバー部材に近づけることが設計上において可能になる。加えて、隙間を通じた光の通過は、当該隙間に位置する遮光性の遮光部材によって妨げられる。以上によれば、表示装置を斜め方向から見た場合に、第一表示領域及び第二表示領域の一方側から他方側が隙間を通して見えてしまう現象は、生じ難くなる。
【０００９】
尚、上記括弧内の参照番号は、後述する実施形態における具体的な構成との対応関係の一例を示すものにすぎず、技術的範囲を何ら制限するものではない。
【図面の簡単な説明】
【００１０】
【図１】本開示の一実施形態による表示装置の正面図である。
【図２】図１のＩＩ−ＩＩ線断面図である。
【図３】図１の領域ＩＩＩの拡大図である。
【図４】図３のＩＶ−ＩＶ線断面図である。
【図５】図３のＶ−Ｖ線断面図である。
【発明を実施するための形態】
【００１１】
図１に示す本開示の一実施形態によるコンビネーションメータ１００は、車両に関する種々の情報を表示する表示装置である。コンビネーションメータ１００は、車両の車室内に設けられたインスツルメントパネル内に収容され、図１に示す正面を、運転席側に向けた姿勢で、車両側の固定部材に固定されている。
【００１２】
コンビネーションメータ１００には、互いに区分けされた複数の表示領域１０が設けられている。具体的には、スピートメータ１１、タコメータ１２及びマルチ表示領域１３等が、複数の表示領域１０としてコンビネーションメータ１００に形成されている。スピートメータ１１及びタコメータ１２は、コンビネーションメータ１００の横（長手）方向において、マルチ表示領域１３の両側に設けられている。スピートメータ１１及びタコメータ１２は、表示板２５及び指針２６を有する指針表示部２１，２２により、それぞれ形成されている。一方、マルチ表示領域１３は、スピートメータ１１及びタコメータ１２と隣り合うように、これらの表示領域１０の間に配置されている。マルチ表示領域１３は、液晶表示部２３によって形成されている。
【００１３】
以上のコンビネーションメータ１００が車両に搭載されると、当該コンビネーションメータ１００の正面方向ＦＤには、図２に示すクラスタ部材１１０が設置される。クラスタ部材１１０は、車両側の部材である。クラスタ部材１１０は、カバーガラス３０との間に僅かな隙間（以下、「クラスタ隙間」）１２０を開けた状態で、車両のインスツルメントパネル等に固定されている。クラスタ部材１１０は、遮光性の樹脂材料によって形成されている。クラスタ部材１１０は、二つの円筒壁１１１を有している。
【００１４】
各円筒壁１１１は、スピートメータ１１及びタコメータ１２のそれぞれの周囲を囲む円筒状に形成されている。円筒壁１１１の内径は、後述する見返し壁４４の内径と概ね同一である。各円筒壁１１１の軸方向高さは、連続的に変化している。各円筒壁１１１のうちで、各指針表示部２１，２２の外側に配置された部分は、液晶表示部２３の両側に配置された部分よりも、軸方向に沿って高く立設されている。各円筒壁１１１は、視認者からの見た目上で、スピートメータ１１及びタコメータ１２を、マルチ表示領域１３と区分けしており、各表示領域１０が個々に独立したコンビネーションメータ１００の表示を実現している。
【００１５】
コンビネーションメータ１００は、図１〜図３に示すように、上述の液晶表示部２３、表示板２５及び指針２６に加えて、筐体４０及び基板４５等によって構成されている。以下の説明では、液晶表示部２３の表示画面及び表示板２５の表示面が共に向く方向を、正面方向ＦＤとする。また、正面方向ＦＤに対して反対の方向を、背面方向ＢＤとする。
【００１６】
液晶表示部２３は、二つの表示板２５と隣り合う配置にて、二つの表示板２５の間に設置されている。液晶表示部２３は、全体として厚板状を呈している。液晶表示部２３は、液晶パネル及びバックライト等によって構成されている。液晶表示部２３は、液晶パネルに描画された画像をバックライトによって透過照明することにより、マルチ表示領域１３の表示を形成する。
【００１７】
表示板２５は、円形シート状に成形されたポリカーボネート等の透明樹脂材料に、遮光性の印刷を施すことによって形成されている。表示板２５の外縁近傍には、多数の数字及び目盛が設けられている。数字及び目盛等は、遮光性の印刷に替えて、透光性の印刷を施すことによって形成されている。指針２６は、透明樹脂材料によって、先細り柱状に形成されている。指針２６は、表示板２５の表示面に沿って回転し、表示板２５に形成された数字及び目盛を、先端によって指し示す。指針２６及び表示板２５は、各指針表示部２１，２２として、スピートメータ１１及びタコメータ１２の各指針表示を形成する。
【００１８】
筐体４０は、全体として箱状に形成されており、コンビネーションメータ１００の外観を形成している。筐体４０は、液晶表示部２３、表示板２５、指針２６及び基板４５等のコンビネーションメータ１００の主要な構成を収容している。筐体４０は、ケース部材４２、ロワカバー４３、見返し部材４１及びカバーガラス３０等によって構成されている。
【００１９】
ケース部材４２、ロワカバー４３及び見返し部材４１は、遮光性を有する樹脂材料によって構成されている。ケース部材４２は、基板４５の正面方向ＦＤに配置されている。加えてケース部材４２には、液晶表示部２３が保持されている。ケース部材４２の正面方向ＦＤには、表示板２５及び見返し部材４１が配置されている。ロワカバー４３は、基板４５の背面方向ＢＤに位置しており、ケース部材４２に組み付けられている。
【００２０】
見返し部材４１は、二つの位置決め部４１ａによってケース部材４２に対し精度良く位置決めされた状態で、ケース部材４２に組み付けられている。見返し部材４１は、二つの見返し壁４４を有している。各見返し壁４４は、各表示板２５の外周を円状に囲む円筒状に形成されている。各見返し壁４４の軸方向に沿った高さは、連続的に変化している。見返し壁４４は、スピートメータ１１及びタコメータ１２を、マルチ表示領域１３と区分けしている。
【００２１】
カバーガラス３０は、アクリル樹脂及びポリカーボネート樹脂等の透光性を有する透明樹脂材料によって湾曲板状に形成されている。本実施形態のカバーガラス３０は、例えば横方向よりも縦方向に大きな曲率を有しており、概ねシリンドリカル形状とされている。カバーガラス３０は、見返し部材４１及び各指針表示部２１の正面方向ＦＤに位置している。カバーガラス３０は、見返し部材４１及びケース部材４２の少なくとも一方に、各位置決め部４１ａによって精度良く位置決めされた状態で、組み付けられている。カバーガラス３０は、スピートメータ１１、タコメータ１２及びマルチ表示領域１３を覆っている。
【００２２】
基板４５は、全体として矩形板状に形成されている。基板４５は、ケース部材４２及びロワカバー４３の間に、表示板２５及び液晶表示部２３に沿った姿勢で挟持されている。基板４５には、各指針２６を回転させるムーブメント２７、及び各指針２６を発光させる指針光源４７が実装されている。基板４５には、制御回路４６が形成されている。制御回路４６は、上述の液晶表示部２３に加えて、ムーブメント２７及び指針光源４７と電気接続されている。制御回路４６は、液晶表示部２３、ムーブメント２７及び指針光源４７へ向けた信号の出力により、各表示領域１０の表示を制御する。
【００２３】
ここで、本実施形態のコンビネーションメータ１００では、視認者の真正面からの視認だけでなく、斜め方向から視認されることも想定されている。具体的に、図３に示すように、アイリプス等の基準範囲に視認者の視点を置いた場合の標準アイポイント線ＳＬＳに対し、斜め方向からの視認を想定した最大視認視線（以下、「限界視線」）ＬＬＳは、大きく傾斜した姿勢となる。こうした限界視線ＬＬＳに沿って視認者がコンビネーションメータ１００を見たとき、円筒壁１１１及び見返し壁４４によって各表示領域１０が区分けされているにも関わらず、視認者は、本来視認できないはずの隣の表示領域１０を視認できてしまう虞がある。
【００２４】
詳記すると、見返し壁４４のうちで、各指針表示部２１，２２及び液晶表示部２３の間からカバーガラス３０へ向けて立設された形状により、スピートメータ１１及びタコメータ１２とマルチ表示領域１３とを区分けする区間を、見返し区分壁５０とする。同様に、円筒壁１１１のうちで、見返し区分壁５０の正面方向ＦＤに位置し、スピートメータ１１及びタコメータ１２とマルチ表示領域１３とを見返し区分壁５０と共に区分けする区間を、クラスタ区分壁１１２とする。
【００２５】
これら見返し区分壁５０及びクラスタ区分壁１１２は、カバーガラス３０を挟む配置にて、互いに対向している。見返し区分壁５０及びクラスタ区分壁１１２は、カバーガラス３０との接触に伴う異音及び破損の発生を回避するために、設計上にて、カバーガラス３０と接触しない配置とされている。その結果、見返し区分壁５０とカバーガラス３０との間には、カバー隙間７０が形成されている。同様に、クラスタ区分壁１１２とカバーガラス３０との間には、クラスタ隙間１２０が形成されている。尚、カバー隙間７０は、クラスタ隙間１２０よりも小さい。
【００２６】
こうした構成のため、限界視線ＬＬＳは、カバー隙間７０及びクラスタ隙間１２０を通じて、見返し区分壁５０及びクラスタ区分壁１１２の一方側から他方側へと通り抜け得る。即ち、限界視線ＬＬＳとなる位置関係から視認者がコンビネーションメータ１００を斜め方向に見たとき、カバー隙間７０又はクラスタ隙間１２０を通じて、隣接する二つの表示領域１０の一方側から他方側を視認してしまう現象（中見え）が生じ得る。
【００２７】
こうした現象の発生を回避するため、本実施形態のコンビネーションメータ１００は、ウレタン遮光材６０をさらに備えている。ウレタン遮光材６０は、二箇所のカバー隙間７０にそれぞれ介在し、限界視線ＬＬＳを遮る機能を発揮する。以下、見返し区分壁５０、クラスタ区分壁１１２及びウレタン遮光材６０の各詳細を、図２、図４及び図５に基づき説明する。
【００２８】
見返し区分壁５０は、スピートメータ１１及びタコメータ１２のうちで隣接する一方の外縁に沿って、円弧状に延伸している。以下の説明では、スピートメータ１１及びタコメータ１２のうちで、見返し区分壁５０の臨む一方の周方向を、見返し区分壁５０の延伸方向ＥＤ（図３参照）とし、当該一方の径方向を、見返し区分壁５０の幅方向ＷＤとする。見返し区分壁５０は、頂面部５１及び一対の立設壁部５６を有しており、中空構造とされている。
【００２９】
頂面部５１は、二つの立設壁部５６の間に位置し、カバーガラス３０の裏面と対向している。頂面部５１は、表示板２５の外縁に沿った円弧状であり、延伸方向ＥＤに沿って延伸する帯面状である。頂面部５１は、概ねシリンドリカル形状とされたカバーガラス３０の立体湾曲形状に合わせて、カバー隙間７０の大きさが概ね一定となるように、湾曲している。頂面部５１には、保持穴部５３及び接続梁部５５が設けられている。
【００３０】
保持穴部５３は、頂面部５１に穴開口５３ａを形成している。穴開口５３ａは、頂面部５１を厚さ方向に貫通している。穴開口５３ａは、延伸方向ＥＤに沿って延伸する長孔形状である。穴開口５３ａの延伸方向ＥＤの内法は、穴開口５３ａの幅方向ＷＤの内法よりも大きい。保持穴部５３は、頂面部５１に複数（例えば四つ）設けられている。複数の保持穴部５３は、延伸方向ＥＤに互いに間隔を開けて並ぶ配置により、頂面部５１に形成されている。
【００３１】
接続梁部５５は、延伸方向ＥＤに並ぶ二つの穴開口５３ａの間に位置し、頂面部５１を挟んで対向する二つの立設壁部５６を互いに接続している。換言すれば、接続梁部５５は、保持穴部５３を複数に分断させている。接続梁部５５は、立設壁部５６同士を所定の間隔で繋げて、見返し区分壁５０の剛性及び強度の低下を抑制している。
【００３２】
一対の立設壁部５６は、見返し区分壁５０の内部に空間を挟んで、幅方向ＷＤに対向している。立設壁部５６の幅方向ＷＤの間隔は、正面方向ＦＤへ向かうに従って、漸減している。立設壁部５６の高さは、カバー隙間７０の大きさが実質一定に維持されるように、カバーガラス３０の立体湾曲形状に合わせて、連続的に変化している。
【００３３】
クラスタ区分壁１１２は、部分円筒状を呈する一対の遮蔽壁部１１２ａによって形成されている。各遮蔽壁部１１２ａの背面方向ＢＤの各端縁が、カバーガラス３０のおもて面と対向するクラスタ区分壁１１２の対向底部１１３となる。幅方向ＷＤにおける一対の対向底部１１３の間隔は、頂面部５１の幅と同程度か、僅かに大きくされている。その結果、対向底部１１３の両縁１１４は、幅方向ＷＤにおいて、頂面部５１の両縁５２よりも外側に位置している。
【００３４】
ウレタン遮光材６０は、例えばウレタンゴム等の合成ゴム材によって形成されている。ウレタンゴムは、遮光性を有しており、且つ、見返し区分壁５０及びカバーガラス３０を形成する樹脂材料よりも低剛性且つ変形容易な弾性材料である。ウレタン遮光材６０は、カバー隙間７０を埋めるように、頂面部５１に固定された状態で、見返し区分壁５０とカバーガラス３０との間に配置される。ウレタン遮光材６０は、断面Ｔ字状を呈しており、板状本体部６１及び複数の挿入凸部６３を有している。
【００３５】
板状本体部６１は、帯板状を呈し、延伸方向ＥＤに沿って円弧状に延伸している。板状本体部６１は、頂面部５１と実質同一の曲率で円弧状に湾曲している。板状本体部６１の厚さは、カバー隙間７０の大きさと概ね同程度とされている。板状本体部６１の幅方向ＷＤの寸法は、頂面部５１の幅方向ＷＤの寸法よりも長くされており、且つ、遮蔽壁部１１２ａの幅方向ＷＤの間隔と同程度とされている。以上により、板状本体部６１の両縁６２は、頂面部５１の両縁よりも幅方向ＷＤの外側に位置しており、対向底部１１３の両縁１１４よりも幅方向ＷＤの内側に位置している。
【００３６】
板状本体部６１は、ウレタン遮光材６０の見返し区分壁５０への組み付けにより、頂面部５１の高さ方向の変化に従い、厚さ方向に湾曲する。板状本体部６１において、カバーガラス３０と対向する正面方向ＦＤの片面（以下、「圧接面」）６１ａは、設計上、カバーガラス３０の裏面から僅かに離れる設定とされている。こうした設定により、実際の製品では、各部材の公差及び変形を利用して、圧接面６１ａは、カバーガラス３０に対して微小な圧接を生じさせている。その結果、ウレタン遮光材６０のカバーガラス３０に対する相対移動が規制され、ウレタン遮光材６０は、カバーガラス３０に実質固定された状態となる。
【００３７】
挿入凸部６３は、板状本体部６１から背面方向ＢＤに板状に突出している。複数の板状本体部６１が、挿入凸部６３から突出している。各板状本体部６１は、頂面部５１における保持穴部５３の配置に合わせて、延伸方向ＥＤに互い間隔を開けた配置にて、ウレタン遮光材６０に設けられている。挿入凸部６３の板厚ｔｗ（図５参照）は、穴開口５３ａの幅方向ＷＤの内法と同程度か、当該内法よりも僅かに大きくされている。
【００３８】
各挿入凸部６３は、各穴開口５３ａに挿入され、形成材料（ウレタンゴム）の復元力によって各保持穴部５３に内嵌される。こうして各挿入凸部６３が各保持穴部５３に個別に保持されることで、ウレタン遮光材６０は、見返し区分壁５０によって保持された状態となる。以上のように、挿入凸部６３は、クラスタ区分壁１１２及び見返し区分壁５０に対するウレタン遮光材６０のずれを防ぐ構成である。
【００３９】
挿入凸部６３は、基端部６４及び係止突起６５を有している。基端部６４は、挿入凸部６３において板状本体部６１と連続する部分である。基端部６４には、例えば半径０．５ｍｍ程度の隅Ｒが形成されている。こうした隅Ｒの存在により、基端部６４における挿入凸部６３の板厚は、穴開口５３ａの幅方向ＷＤの内法よりも大きくなる。このように、基端部６４は、板状本体部６１に向かって拡大する拡大形状となっている。その結果、挿入凸部６３が保持穴部５３に保持された状態で、板状本体部６１は、頂面部５１に密着せず、頂面部５１から僅かに浮き上がった状態となる。一例として、板状本体部６１と頂面部５１との間には、０．５ｍｍ未満の微小なギャップＧ（図５参照）が確保される。
【００４０】
係止突起６５は、保持穴部５３を通じて見返し区分壁５０の内部に挿入配置される挿入凸部６３の中間から先端の部分に設けられている。係止突起６５は、挿入凸部６３の板面方向と実質垂直な方向へ向けて、略円柱状に突出している。係止突起６５は、保持穴部５３に挿入された挿入凸部６３から、立設壁部５６の内側壁面５７へ向けて突出した形態となる。係止突起６５は、複数の挿入凸部６３のそれぞれに設けられている。挿入凸部６３が保持穴部５３から抜ける方向に相対移動した場合、係止突起６５は、穴開口５３ａ周囲の保持穴部５３に引っかかり、保持穴部５３からの挿入凸部６３の離脱を防止する。
【００４１】
ここまで説明した本実施形態では、カバー隙間７０に位置したウレタン遮光材６０が、見返し区分壁５０及びカバーガラス３０よりも低剛性の材料よりなるため、カバーガラス３０のウレタン遮光材６０への接触が許容され得る。故に、カバー隙間７０が小さくなるように、見返し区分壁５０の頂面部５１をカバーガラス３０に近づけることが、設計上において可能になる。
【００４２】
加えて、カバー隙間７０を通じた光の通過は、当該カバー隙間７０に位置する遮光性のウレタン遮光材６０によって妨げられる。以上によれば、頂面部５１及び対向底部１１３の間を通過する限界視線ＬＬＳは、実質的に規定不可能となる。故に、限界視線ＬＬＳに従い、コンビネーションメータ１００を斜め方向から見た場合に、スピートメータ１１及びマルチ表示領域１３の一方側から他方側がカバー隙間７０を通して見えてしまう事態は、生じ難くなる。同様に、スピートメータ１１及びマルチ表示領域１３の一方側から他方側がカバー隙間７０を通じて見えてしまう事態も、生じ難くなる。
【００４３】
また本実施形態では、ウレタン遮光材６０が見返し区分壁５０に保持されているため、コンビネーションメータ１００を組み付ける工程において、見返し区分壁５０に対するウレタン遮光材６０のずれは、防止され得る。したがって、ウレタン遮光材６０を追加したコンビネーションメータ１００であっても、ウレタン遮光材６０は、実質常に正規の位置に配置される。
【００４４】
さらに本実施形態では、ウレタン遮光材６０の挿入凸部６３を、見返し区分壁５０の保持穴部５３に挿入固定する構成により、ウレタン遮光材６０が見返し区分壁５０に保持されている。こうした構成であれば、良好な組み付け性を確保しつつ、ウレタン遮光材６０のずれが防止可能になる。
【００４５】
また本実施形態のように、板状本体部６１が頂面部５１に載置されていれば、クラスタ隙間１２０が極端に大きくない限り、クラスタ隙間１２０を通過する限界視線ＬＬＳも、板状本体部６１によって遮られる。故に、クラスタ隙間１２０に起因した中見えも、帯板状の板状本体部６１を有するウレタン遮光材６０によって防止可能となる。
【００４６】
加えて本実施形態の挿入凸部６３に設けられた係止突起６５が、挿入凸部６３の保持穴部５３からの離脱を防止し得る。以上によれば、コンビネーションメータ１００を組み立てる工程において、作業者がコンビネーションメータ１００の姿勢を激しく変化させたとしても、ウレタン遮光材６０は、見返し区分壁５０に保持された状態を維持できる。
【００４７】
また本実施形態では、見返し区分壁５０に設けた複数の保持穴部５３に、ウレタン遮光材６０に設けた複数の挿入凸部６３が個別に挿入固定される。こうした構成であれば、頂面部５１に設けられた一つの穴開口５３ａの延伸方向ＥＤの長さの抑制が可能となる。その結果、穴開口５３ａの形成に起因した見返し区分壁５０の剛性低下が回避され得るため、ウレタン遮光材６０を介してカバーガラス３０に押されたとしても、見返し区分壁５０は、カバー隙間７０の拡大を生じさせないように抵抗し得る。したがって、カバー隙間７０を塞ぎ、隣の表示領域１０の視認を防ぐウレタン遮光材６０の機能が、確実に発揮される。
【００４８】
さらに本実施形態では、挿入凸部６３の基端部６４に設けられた拡大形状により、板状本体部６１は、頂面部５１との間にギャップＧを形成し、頂面部５１から僅かに浮いた状態となる。こうした構成では、板状本体部６１がカバーガラス３０から押された場合に、基端部６４と穴開口５３ａとの嵌合部分が緩衝作用を発揮するため、板状本体部６１は、カバーガラス３０に圧接面６１ａを弱い力で接触させたソフトタッチ状態を維持し得る。以上によれば、ウレタン遮光材６０は、見返し区分壁５０及びカバーガラス３０の損傷を防ぎつつ、カバー隙間７０を塞ぐ機能をさらに発揮できる。
【００４９】
加えて本実施形態では、頂面部５１の両縁５２は、板状本体部６１の両縁６２よりも、幅方向ＷＤの内側に位置している。こうした構成では、頂面部５１は、ウレタン遮光材６０によって視認者から隠された状態となる。したがって、コンビネーションメータ１００を斜めから見た視認者に頂面部５１が見えてしまう事態は、生じ難くなる。
【００５０】
また本実施形態のウレタン遮光材６０は、見返し区分壁５０及びウレタン遮光材６０と比較して、顕著に変形容易である。故に、見返し区分壁５０及びカバーガラス３０に変形や取り付け不具合による形状不良が生じていたとしても、ウレタン遮光材６０は、見返し区分壁５０の形状に適合し、カバー隙間７０の大部分を安定的に塞ぎ得る。したがって、隣接する表示領域１０の中見え防止効果は、見返し部材４１及びカバーガラス３０の形状不良に対しても、有効に発揮され得る。
【００５１】
尚、上記実施形態では、スピートメータ１１及びタコメータ１２がそれぞれ「第一表示領域」に相当し、マルチ表示領域１３が「第二表示領域」に相当し、指針表示部２１，２２がそれぞれ「第一表示部」に相当し、液晶表示部２３が「第二表示部」に相当する。また、カバーガラス３０が「カバー部材」に相当し、見返し区分壁５０が「区分壁」に相当し、ウレタン遮光材６０が「遮光部材」に相当し、基端部６４が「連続部分」に相当する。さらに、コンビネーションメータ１００が「表示装置」に相当し、クラスタ区分壁１１２が「クラスタ壁」に相当する。
【００５２】
（他の実施形態）
以上、本開示の一実施形態について説明したが、本開示は、上記実施形態に限定して解釈されるものではなく、本開示の要旨を逸脱しない範囲内において種々の実施形態及び組み合わせに適用することができる。
【００５３】
上記実施形態では、マルチ表示領域の両側にスピートメータ及びタコメータが配置されていた。こうした表示領域の数及び配置は、適宜変更可能である。さらに、個々の表示領域の形状及びサイズも、適宜変更可能である。加えて、限界視線ＬＬＳ及び標準アイポイント線ＳＬＳの各姿勢も、表示装置に合わせて適宜規定されてよい。
【００５４】
例えば、変形例１の表示装置では、スピートメータ及びタコメータが、横方向に隣り合って並んでいる。即ち、変形例１の表示装置には、マルチ表示領域が設けられていない。こうした変形例１の配置では、ウレタン遮光材等の遮光部材は、スピートメータ及びタコメータを区分けする見返し区分壁と、カバーガラスとの間に配置される。
【００５５】
また、変形例２の表示装置では、マルチ表示領域とインジケータ表示領域とが縦方向に隣り合って並んでいる。即ち、変形例２の表示装置からは、指針表示部が省略されている。こうした変形例２の配置では、遮光部材は、マルチ表示領域及びテルテール表示領域を区分けする見返し区分壁と、カバーガラスとの間に配置される。
【００５６】
上記実施形態では、クラスタ開口を通して、視認者（運転者）のアイポイントから、隣り合う表示領域（メータ計器）が視認できなくするために、成形性に優れるウレタンゴムよりなるウレタン遮光材を、遮光部材として設ける対策がなされていた。こうした遮光部材の材料は、適宜変更されてよい。具体的には、中見え抑制効果を発揮し、且つ、カバーガラスと見返し区分壁との干渉を防止できる低剛性材料であれば、シリコーン等の合成樹脂、天然ゴム、合成ゴム等を基材として発泡させたスポンジ等が、遮光部材の材料として、適宜採用可能である。
【００５７】
上記実施形態では、コンビネーションメータの正面方向に、車両側の部材であるクラスタ部材が配置されていた。このクラスタ部材のような加飾部材の形状及び色等は、適宜変更されてよい。さらに、クラスタ部材のような加飾部材は、適宜省略されてよい。
【００５８】
上記実施形態では、見返し区分壁がウレタン遮光材を保持していた。こうしたウレタン遮光材の保持構造は、適宜変更されてよい。例えば、頂面部に設けた係止ピンを、ウレタン遮光材に設けた係止孔に嵌合させる構成が、保持構造として採用可能である。加えて、ウレタン遮光材は、頂面部に接着剤又は両面テープ等で固定されていてもよい。さらに、カバー隙間の間隔よりも板状本体部の板厚を大きくする設計であれば、ウレタン遮光材は、見返し区分壁及びカバーガラス間の挟持によって、見返し区分壁に対するずれを防止されていてもよい。
【００５９】
上記実施形態の保持穴部及び挿入凸部は、延伸方向において四つに分割された構成であった。保持穴部及び挿入凸部の数は、適宜変更可能であり、五つ以上であってもよい。さらに、見返し区分壁の剛性及び強度が十分に確保可能であれば、保持穴部及び挿入凸部は、それぞれ一体的に設けられていてもよい。
【００６０】
上記実施形態では、拡大形状の基端部を設けることで、板状本体部を頂面部から浮かせていた。しかし、板状本体部は、頂面部に密着する構成であってもよい。さらに、板状本体部の幅は、頂面部よりも狭くてよい。この場合、板状本体部及び頂面部は、クラスタ区分壁によって視認者側から隠されることが望ましい。
【００６１】
上記実施形態では、車両に搭載される表示装置に本開示による中見え抑制構造を適用した例を説明した。しかし、本開示の中見え抑制構造を適用可能な表示装置は、コンビネーションメータとして機能する上述のような表示装置に限定されない。例えば、車両とは異なる移動体、例えば航空機や船舶等に搭載される計器としての表示装置、並びに産業用機械及び家電製品等に用いられる指針表示器等に用いられる指針にも、本開示の光漏れ抑制構造は、適用可能である。
【符号の説明】
【００６２】
１０  表示領域、１１  スピートメータ（第一表示領域）、１２  タコメータ（第一表示領域）、１３  マルチ表示領域（第二表示領域）、２１，２２  指針表示部（第一表示部）、２３  液晶表示部（第二表示部）、３０  カバーガラス（カバー部材）、５０  見返し区分壁（区分壁）、５１  頂面部、５２  （頂面部の）両縁、５３  保持穴部、５３ａ  穴開口、５７  内側壁面、６０  ウレタン遮光材（遮光部材）、６１  板状本体部、６２  （板状本体部の）両縁、６３  挿入凸部、６４  基端部（連続部分）、６５  係止突起、１００  コンビネーションメータ（表示装置）、１１０  クラスタ部材、１１２  クラスタ区分壁（クラスタ壁）、１１３  対向底部、１１４  （対向底部の）両縁、ＥＤ  延伸方向、ＦＤ  正面方向、ＷＤ  幅方向
【図１】
2019215188.tif 000003
【図２】
2019215188.tif 000004
【図３】
2019215188.tif 000005
【図４】
2019215188.tif 000006
【図５】
2019215188.tif 000007